(57)【要約】【課題】  ファイバ端面を清掃し、ファイバ端面にマッチングオイルを塗布する。【解決手段】  筐体１０内に、ファイバ端面を清掃するためのドライテープ１２Ｄと、ファイバ端面にマッチングオイルを塗布するためのウエットテープ１２Ｗが収納されている。ドライテープ１２Ｄは、供給リール１４Ｄから引き出され、巻き取りリール１６Ｄに巻き取られる。ウエットテープ１２Ｗは、供給リール１４Ｗから引き出され、巻き取りリール１６Ｗに巻き取られる。巻き取りリール１６Ｄ，１６の共通軸２０に、操作レバー２２が固定されている。筐体１０の開口３６Ｄでドライテープ１２Ｄを外部に露出し、開口３６Ｗでウエットテープ１２Ｗを外部に露出する。マッチングオイルタンク３２からウエットテープ１２Ｗにマッチングオイルが供給される。【選択図】  図１
2005134447.tif 000002
【特許請求の範囲】
【請求項１】
ファイバ端面を清掃可能なドライテープ（１２Ｄ、１１２Ｄ）と、
当該ドライテープ（１２Ｄ、１１２Ｄ）を供給するドライテープ供給リール（１４Ｄ、１１４Ｄ）と、
当該ドライテープ供給リール（１４Ｄ、１１４Ｄ）から供給された当該ドライテープ（１２Ｄ、１１２Ｄ）を巻き取るドライテープ巻き取りリール（１６Ｄ、１１６Ｄ）と、
ファイバ端面にマッチングオイルを塗布するウエットテープ（１２Ｗ、１１２Ｗ）と、
当該ウエットテープ（１２Ｗ、１１２Ｗ）を供給するウエットテープ供給リール（１４Ｗ、１１４Ｗ）と、
当該ウエットテープ供給リール（１４Ｗ、１１４Ｗ）から引き出された当該ウエットテープ（１２Ｗ、１１２Ｗ）に付着させるマッチングオイルを保持するマッチングオイル容器（３２、１２８）と、
当該ウエットテープ供給リール（１４Ｗ、１１４Ｗ）から供給された当該ウエットテープ（１２Ｗ、１１２Ｗ）を巻き取るウエットテープ巻き取りリール（１６Ｗ、１１６Ｗ）と、
当該ドライテープ（１２Ｄ、１１２Ｄ）、当該ドライテープ供給リール（１４Ｄ、１１４Ｄ）、当該ドライテープ巻き取りリール（１６Ｄ、１１６Ｄ）、当該ウエットテープ（１２Ｗ、１１２Ｗ）と、当該マッチングオイル容器（３２、１２８）、当該ウエットテープ供給リール（１４Ｗ、１１４Ｗ）、及び当該ウエットテープ巻き取りリール（１６Ｗ、１１６Ｗ）を収容する筐体（１０，１１０）であって、当該ドライテープ供給リール（１４Ｄ、１１４Ｄ）と当該ドライテープ巻き取りリール（１６Ｄ、１１６Ｄ）との間のドライテープ（１２Ｄ、１１２Ｄ）を外部に露出するドライテープ開口（３６Ｄ、１３２Ｄ）、及び、当該マッチングオイル容器（３２、１２８）と当該ウエットテープ巻き取りリール（１６Ｗ、１１６Ｗ）との間のウエットテープ（１４Ｗ、１１４Ｗ）を外部に露出するウエットテープ開口（３６Ｗ、１３２Ｗ）を具備する筐体（１０、１１０
）
とを具備することを特徴とする光ファイバ端面処理装置。
【請求項２】
更に、当該ドライテープ巻き取りリール（１６Ｄ、１１６Ｄ）から当該ドライテープ供給リール（１４Ｄ、１１４Ｄ）へのドライテープ（１２Ｄ、１１２Ｄ）の逆走行、及び、当該ウエットテープ巻き取りリール（１６Ｗ、１１６Ｗ）から当該ウエットテープ供給リール（１４Ｗ、１１４Ｗ）へのウエットテープ（１２Ｗ、１１２Ｗ）の逆走行を阻止する逆走防止機構（３８、１３４Ｄ，１３４Ｗ）を具備することを特徴とする請求項１に記載の光ファイバ端面処理装置。
【請求項３】
更に、ユーザの操作に怖じて当該ドライテープ巻き取りリール（１６Ｄ、１１６Ｄ）及び当該ウエットテープ巻き取りリール（１６Ｗ、１１６Ｗ）を巻き取り方向に回転駆動する操作部材（２２、１４０）を具備することを特徴とする請求項１に記載の光ファイバ端面処理装置。
【請求項４】
当該操作部材（１４０）の動作に応じて当該マッチングオイル容器（１２８）から当該ウエットテープ（１１４Ｗ）上にマッチングオイルが供給されることを特徴とする請求項３に記載の光ファイバ端面処理装置。
【発明の詳細な説明】
【技術分野】
【０００１】
本発明は、光ファイバの端面を清掃し、光ファイバ端面にマッチングオイルを付着させる光ファイバ端面処理装置に関する。
【背景技術】
【０００２】
光ファイバ通信では、光ファイバ端面の反射及びファイバ接続部での損失を最低限に抑える必要がある。そのために、特許文献１及びこれに対応する特許文献２に記載されているような、光ファイバの端面を清掃する装置が使用される。
【特許文献１】特開平２−２６４９０７号公報
【特許文献２】米国特許第５１１７５２８号公報
【発明の開示】
【発明が解決しようとする課題】
【０００３】
従来の光ファイバ端面クリーナでは、乾いた清掃用布で光ファイバ端面を擦り、埃や油等の汚れを清掃する機能を有しているだけである。従来のクリーナは、結果的に、ファイバ端面を研磨する機能も併せ持つ。
【０００４】
光ファイバ通信の普及によりユーザ宅等の現場で光ファイバ端面を清掃及び研磨する必要が生じており、光ファイバ端面を簡易に清掃できる治具が望まれている。
【０００５】
ファイバ同士又はファイバと非ファイバの光学素子とを突き合わせる場合、間にマッチングオイルを挿入することがある。マッチングオイルの挿入操作を簡易に行えれば、作業性が大幅に向上する。
【０００６】
本発明は、手軽に光ファイバ端面を清掃できるだけでなく、マッチングオイルをファイバ端面に満遍なく塗布できる光ファイバ端面処理装置を提示することを目的とする。
【課題を解決するための手段】
【０００７】
本発明に係る光ファイバ端面処理装置ファイバ端面を清掃可能なドライテープと、当該ドライテープを供給するドライテープ供給リールと、当該ドライテープ供給リールから供給された当該ドライテープを巻き取るドライテープ巻き取りリールと、ファイバ端面にマッチングオイルを塗布するウエットテープと、当該ウエットテープを供給するウエットテープ供給リールと、当該ウエットテープ供給リールから引き出された当該ウエットテープに付着させるマッチングオイルを保持するマッチングオイル容器と、当該ウエットテープ供給リールから供給された当該ウエットテープを巻き取るウエットテープ巻き取りリールと、当該ドライテープ、当該ドライテープ供給リール、当該ドライテープ巻き取りリール、当該ウエットテープと、当該マッチングオイル容器、当該ウエットテープ供給リール、及び当該ウエットテープ巻き取りリールを収容する筐体であって、当該ドライテープ供給リールと当該ドライテープ巻き取りリールとの間のドライテープを外部に露出するドライテープ開口、及び、当該マッチングオイル容器と当該ウエットテープ巻き取りリールとの間のウエットテープを外部に露出するウエットテープ開口を具備する筐体とを具備することを特徴とする。
【０００８】
好ましくは、本発明に係る装置は、更に、当該ドライテープ巻き取りリールから当該ドライテープ供給リールへのドライテープの逆走行、及び、当該ウエットテープ巻き取りリールから当該ウエットテープ供給リールへのウエットテープの逆走行を阻止する逆走防止機構を具備する。これにより、テープの使用済み部分が開口に露出するのを防止できる。
【０００９】
好ましくは、本発明に係る装置は、更に、ユーザの操作に怖じて当該ドライテープ巻き取りリール及び当該ウエットテープ巻き取りリールを巻き取り方向に回転駆動する操作部材を具備する。これにより、簡単にテープを所定量、送ることができる。
【００１０】
好ましくは、当該操作部材の動作に応じて当該マッチングオイル容器から当該ウエットテープ上にマッチングオイルが供給される。これにより、常に一定量のマッチ具オイルをファイバ端面に塗布できる。
【発明の効果】
【００１１】
本発明により、ファイバ端面の埃及び油などをライテープで除去した後に、ウエットテープでファイバ端面にマッチングオイルを塗布できる。これにより、ユーザ宅等の現場での光ファイバ端面処理が容易になる。
【発明を実施するための最良の形態】
【００１２】
以下、図面を参照して、本発明の実施例を詳細に説明する。
【実施例１】
【００１３】
図１は、本発明の一実施例の斜視図を示す。内部構造を理解しやすいように、図１には、筐体１０を一点鎖線で図示し、筐体１０に収容される内部機構の主要部品を図示してある。
【００１４】
筐体１０内に、ファイバ端面を清掃するためのドライテープ１２Ｄと、ファイバ端面にマッチングオイルを塗布するためのウエットテープ１２Ｗが収納されている。ドライテープ１２Ｄは、ファイバ端面の埃及び油等の汚れを清掃するのに適した布材からなり、ウエットテープ１２Ｗは、ファイバ端面にマッチングオイルを塗布するのに適した布材からなる。図２は、ドライテープ１２Ｄの走行系を示す断面図、図３は、ウエットテープ１２Ｗの走行系を示す断面図である。
【００１５】
ドライテープ１２Ｄは、供給リール１４Ｄから引き出され、巻き取りリール１６Ｄに巻き取られる。ウエットテープ１２Ｗは、供給リール１４Ｗから引き出され、巻き取りリール１６Ｗに巻き取られる。供給リール１４Ｄ，１４Ｗは、共通の軸１８に固定されている。軸１８は、図示しない軸受けにより回転自在に筐体１０に取り付けられている。巻き取りリール１６Ｄ，１６Ｗもまた、共通の軸２０に固定されている。軸２０は、図示しない軸受けにより回転自在に筐体１０に取り付けられている。軸２０には操作レバー２２が固定されている。軸２０を中心に操作レバー２２を反時計方向に回転することで、ドライテープ１２Ｄ及びウエットテープ１２Ｗがそれぞれ、供給リール１４Ｄ，１４Ｗから引き出され、巻き取りリール１６Ｄ，１６Ｗに巻き取られる。
【００１６】
供給リール１４Ｗから引き出されたウエットテープ１２Ｗは、ローラ２４，２６，２８，３０により案内されて、巻き取りリール１６Ｗに巻き取られる。供給リール１４Ｄから引き出されたドライテープ１２Ｄは、ローラ２８，３０により案内されて、巻き取りリール１６Ｄに巻き取られる。図３に明確に示すように、ローラ２４とローラ２６の間で、ウエットテープ１２Ｗに隣接して、マッチングオイルタンク３２を配置してある。テープ１４Ｗ，１４Ｄの送りに応じて又は手操作により、マッチングオイルタンク３２からウエットテープ１２Ｗにマッチングオイルが滴下される。
【００１７】
ローラ２４，２６はウエットテープ１２Ｗの案内のために設けられる。しかし、マッチングオイルタンク３２からウエットテープ１２Ｗへのマッチングオイルの滴下方向によっては、ローラ２４，２６を省略できることは明らかである。
【００１８】
ローラ２８とローラ３０の間で、テープ１２Ｄ，１２Ｗは、筐体１０の上面壁１０Ｕに沿って案内され、テープ１２Ｄ，１２Ｗの下側には、支持台３４が固定されている。支持台３４はまた、テープ１２Ｄ，１２Ｗを筐体１０の上面壁１０Ｕに押し付けるようにバネ付勢されていても良い。
【００１９】
上面壁１０Ｕには、ドライテープ１２Ｄを外部に露出する開口（ドライテープ開口）３６Ｄ、及びウエットテープ１２Ｗを外部に露出する開口（ウエットテープ開口）３６Ｗを形成してある。開口３６Ｄ，３６Ｗはそれぞれ、図示しないファイバの端面をテープ１２Ｄ，１２Ｗに接触させた状態で、テープ１２Ｄ，１２Ｗの長手方向に移動させることができるように、テープ１２Ｄ，１２Ｗの長手方向に細長く形成されている。開口３６Ｄ，３６Ｗの横幅は、処理しようとするファイバ端面のフェルールを受け入れ可能な程度に広くなっている。ファイバ端面をテープ１２Ｄ，１２Ｗに押し付けても、支持台３４がテープ１２Ｄ，１２Ｗをその位置に保持する。これにより、ファイバ端面を清掃でき、また、ファイバ端面にマッチングオイルを塗布できる。
【００２０】
軸１８には、供給リール１４Ｄ，１４Ｗの供給方向のみへの回転を許容するラチェット機構３８を組み込んである。具体的には、軸１８にギヤ３８ａを固定し、そのギヤ３８ａの周縁に係合するフック３８ｂを筐体１０内に揺動自在に配置してある。図示しないバネにより、フック３８ｂはギヤ３８ａに向かって付勢されている。このような逆走防止機構又は一方向回転機構自体は、周知である。ギヤ３８ａとフック３８ｂからなるラチェット機構３８により、供給リール１４Ｄ，１４Ｗは、図２及び図３において反時計方向にのみ回転可能である。
【００２１】
本実施例の使用方法を説明する。先ず、操作レバー２２により巻き取りリール１６Ｄ，１６Ｗを回転させて、ドライテープ１２Ｄ及びウエットテープ１２Ｗを所定量だけ供給リール１４Ｄ，１４Ｗから引き出す。操作レバー２２の操作と同時に又はその前に、マッチングオイルタンク３２を筐体１０の外部から指等で押して、適当量のマッチングオイルをウエットテープ１２Ｗに滴下する。この操作により、開口３６Ｄ，３６Ｗの部分に、新しい、即ち綺麗なドライテープ１２Ｄ，及び清浄なマッチングオイルが滴下されたウエットテープ１２Ｗがそれぞれ露出する。
【００２２】
この状態で、図２に示すように、ファイバ４０の端面を開口３６Ｄに垂直に入れ、ドライテープ１２Ｄ上に垂直に接する状態でテープ１２Ｄの長手方向に移動させる。これにより、ファイバ４０端面の汚れ及び油等が除去される。このとき、巻き取りリール１６Ｄが逆転しないように、操作レバー２２をその位置に保持する。
【００２３】
次に、図３に示すように、ファイバ４０の端面を開口３６Ｗに垂直に入れ、ウエットテープ１２Ｗ上に垂直に接する状態でテープ１２Ｗの長手方向に移動させる。これにより、ファイバ４０の端面にマッチングオイルが塗布される。このときも、巻き取りリール１６Ｗが逆転しないように、操作レバー２２をその位置に保持する。
【００２４】
供給リール１４Ｄ，１４Ｗと巻き取りリール１６Ｄ，１６Ｗの連動機構及び逆転防止機構には種々の方式がありうる。本実施例は、その一例を示すに過ぎず、種々の方式が利用可能である。
【実施例２】
【００２５】
図４は、本発明の第２実施例の斜視図を示し、図５は、側面図を示す。内部構造を理解しやすいように、図４では、筐体１１０を一点鎖線で図示し、筐体１１０に収容される内部機構の主要部品を図示してある。なお、図４では、理解しやすいようにテープの幅方向を拡大して図示してある。
【００２６】
筐体１１０内に、ファイバ端面を清掃するためのドライテープ１１２Ｄと、ファイバ端面にマッチングオイルを塗布するためのウエットテープ１１２Ｗが収納されている。ドライテープ１１２Ｄは、ドライテープ１２Ｄと同様に、ファイバ端面の埃及び油等の汚れを清掃するのに適した布材からなり、ウエットテープ１１２Ｗは、ウエットテープ１２Ｗと同様に、ファイバ端面にマッチングオイルを塗布するのに適した布材からなる。図１に示す実施例では、ドライテープ１２Ｄとウエットテープ１２Ｗを横に並べて配置したが、本実施例では、ドライテープ１１２Ｄとウエットテープ１１２Ｗを縦に並べて配置した。
【００２７】
ウエットテープ１１２Ｗは、供給リール１１４Ｗから引き出され、巻き取りリール１１６Ｗに巻き取られる。供給リール１１４Ｗは、軸１１８Ｗに固定されている。軸１１８Ｗは、図示しない軸受けにより回転自在に筐体１１０に取り付けられている。巻き取りリール１１６Ｗは、軸１２０Ｗに固定されている。軸１２０Ｗは、図示しない軸受けにより回転自在に筐体１１０に取り付けられている。
【００２８】
供給リール１１４Ｗから引き出されたウエットテープ１１２Ｗは、ローラ１２２Ｗ，１２４Ｗ，１２６Ｗにより案内されて、巻き取りリール１１６Ｗに巻き取られる。図５に明確に示すように、ローラ１２２Ｗとローラ１２４Ｗ間で、ウエットテープ１１２Ｗに隣接して、マッチングオイルタンク１２８を配置してある。後述するように、ユーザのテープ送り操作に応じて、タンク１２８からウエットテープ１１２Ｗに所定量のマッチングオイルが滴下される。
【００２９】
ローラ１２４Ｗとローラ１２６Ｗの間で、テープ１１２Ｗは、筐体１１０の上面壁１１０Ｕに沿って案内され、テープ１１２Ｗの下側には、支持台１３０Ｗが固定されている。支持台１３０Ｗはまた、ウエットテープ１１２Ｗを筐体１１０の上面壁１１０Ｕに押し付けるようにバネ付勢されていても良い。
【００３０】
上面壁１１０Ｕには、ウエットテープ１１２Ｗを外部に露出する開口（ウエットテープ開口）１３２Ｗを形成してある。図示しないファイバの端面をウエットテープ１１２Ｗに接触させた状態で、テープ１１２Ｗの長手方向に移動させることができるように、開口１３２Ｗは、テープ１１２Ｗの長手方向に細長く形成されている。開口１３２Ｗの横幅は、処理しようとするファイバ端面のフェルールを受け入れ可能な程度に広くなっている。ファイバ端面をウエットテープ１１２Ｗに押し付けても、支持台１３０Ｗがウエットテープ１１２Ｗをその位置に保持する。これにより、ファイバ端面にマッチングオイルを塗布できる。
【００３１】
軸１１８Ｗには、供給リール１１４Ｗの供給方向のみへの回転（図５では、反時計方向）を許容するラチェット機構１３４Ｗを組み込んである。具体的には、軸１１８Ｗにギヤ１３６Ｗを固定し、そのギヤ１３６Ｗの周縁に係合するフック１３８Ｗを筐体１１０内に揺動自在に配置してある。図示しないバネにより、フック１３８Ｗはギヤ１３６Ｗに向かって付勢されている。このような逆転防止機構又は一方向回転機構自体は、周知である。ギヤ１３６Ｗとフック１３８Ｗからなるラチェット機構１３４Ｗにより、供給リール１１４Ｗは、図５において反時計方向にのみ回転可能である。
【００３２】
ドライテープ１１２Ｄに関する構成は、マッチングオイルタンク１２８を除き、基本的にウエットテープ１１２Ｗに関する構成と同じである。
【００３３】
即ち、ドライテープ１１２Ｄは、供給リール１１４Ｄから引き出され、巻き取りリール１１６Ｄに巻き取られる。供給リール１１４Ｄは、軸１１８Ｄに固定されている。軸１１８Ｄは、図示しない軸受けにより回転自在に筐体１１０に取り付けられている。巻き取りリール１１６Ｄは、軸１２０Ｄに固定されている。軸１２０Ｄは、図示しない軸受けにより回転自在に筐体１１０に取り付けられている。
【００３４】
供給リール１１４Ｄから引き出されたドライテープ１１２Ｄは、ローラ１２４Ｄ，１２６Ｄにより案内されて、巻き取りリール１１６Ｄに巻き取られる。ローラ１２４Ｄとローラ１２６Ｄの間で、ドライテープ１１２Ｄは、筐体１１０の上面壁１１０Ｕに沿って案内され、ドライテープ１１２Ｄの下側には、支持台１３０Ｄが固定されている。支持台１３０Ｄはまた、ドライテープ１１２Ｄを筐体１１０の上面壁１１０Ｕに押し付けるようにバネ付勢されていても良い。
【００３５】
上面壁１１０Ｕには、ドライテープ１１２Ｄを外部に露出する開口（ドライテープ開口）１３２Ｄを形成してある。図示しないファイバの端面をドライテープ１１２Ｄに接触させた状態で、ドライテープ１１２Ｄの長手方向に移動させることができるように、開口１３２Ｄは、ドライテープ１１２Ｄの長手方向に細長く形成されている。開口１３２Ｄの横幅は、処理しようとするファイバ端面のフェルールを受け入れ可能な程度に広くなっている。ファイバ端面をドライテープ１１２Ｄに押し付けても、支持台１３０Ｄがドライテープ１１２Ｄをその位置に保持する。これにより、ファイバ端面に付着する埃及び油等を除去できる。
【００３６】
軸１１８Ｄには、供給リール１１４Ｄの供給方向のみへの回転（図５では、反時計方向）を許容するラチェット機構１３４Ｄを組み込んである。具体的には、軸１１８Ｄにギヤ１３６Ｄを固定し、そのギヤ１３６Ｄの周縁に係合するフック１３８Ｄを筐体１１０内に揺動自在に配置してある。図示しないバネにより、フック１３８Ｄはギヤ１３６Ｄに向かって付勢されている。ラチェット機構１３４Ｄにより、供給リール１１４Ｄは、図５において反時計方向にのみ回転可能である。
【００３７】
軸１２０Ｄには、操作レバー１４０が固定されている。軸１２０Ｄ，１２０Ｗ間には、ベルト１４２を渡してある。また、ベルト１４４が、軸１２０Ｄの回転をマッチングオイルタンク１２８の外部に露出する軸１４６に伝達する。ベルト１４２により、軸１２０Ｄの回転に連動して、軸１２０Ｗが回転する。これにより、ドライテープ１１２Ｄとウエットテープ１１２Ｗが連動して、それぞれ供給リール１１４Ｄ，１１４Ｗから引き出される。また、ベルト１４４により、軸１２０Ｄの回転に連動して、軸１４６が回転する。詳細は省略するが、軸１４６の回転に応じて、マッチングオイルタンク１２８から所定量のマッチングオイルがウエットテープ１１２Ｗ上に滴下される。
【００３８】
このような機構により、軸１２０Ｄを中心に操作レバー１２２を反時計方向に回転することで、ドライテープ１１２Ｄ及びウエットテープ１１２Ｗがそれぞれ、供給リール１１４Ｄ，１１４Ｗから引き出されて巻き取りリール１１６Ｄ，１１６Ｗに巻き取られ、その間に、ウエットテープ１１２Ｗにタンク１２８からマッチングオイルが滴下される。これにより、開口１３２Ｗには、マッチングオイルで濡れたウエットテープ１１２Ｗが露出する。
【００３９】
本実施例の使用方法を説明する。先ず、操作レバー１３４を反時計方向に所定量、回転する。これにより、巻き取りリール１１６Ｄ，１１６Ｗが連動して回転し、ドライテープ１１２Ｄ及びウエットテープ１１２Ｗが所定量だけそれぞれ供給リール１１４Ｄ，１１４Ｗから引き出される。その際に、マッチングオイルタンク１２８から所定量のマッチングオイルがウエットテープ１１２Ｗに滴下される。ユーザのこの操作により、開口１３２Ｄの部分に、新しい、即ち綺麗なドライテープ１１２Ｄが露出し、開口１３２Ｗの部分には、マッチングオイルで濡れたウエットテープ１１２Ｗが露出し、開口１３２Ｄの部分に、新しい、即ち綺麗なドライテープ１１２Ｄが露出する。
【００４０】
この状態で、図５に示すように、ファイバ１５０の端面を開口３２Ｄに垂直に入れ、ドライテープ１１２Ｄ上に垂直に接する状態でテープ１１２Ｄの長手方向に移動させる。これにより、ファイバ１５０端面の汚れ及び油等が除去される。このとき、巻き取りリール１１６Ｄが逆転しないように、操作レバー１４０をその位置に保持する。
【００４１】
次に、ファイバ１５０の端面を開口１３２Ｗに垂直に入れ、ウエットテープ１１２Ｗ上に垂直に接する状態でテープ１１２Ｗの長手方向に移動させる。これにより、ファイバ１５０の端面にマッチングオイルが塗布される。このときも、巻き取りリール１１６Ｗが逆転しないように、操作レバー１４０をその位置に保持する。
【００４２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４３】
【図１】本発明の第１実施例の主要要素の斜視図である。
【図２】ドライテープ１２Ｄの走行系を示す断面図である。
【図３】ウエットテープ１２Ｗの走行系を示す断面図である。
【図４】本発明の第２実施例の主要要素の斜視図である。
【図５】図４に示す実施例のテープ走行系を示す側面図である。
【符号の説明】
【００４４】
１０：筐体
１０Ｕ：上面壁
１２Ｄ：ドライテープ
１２Ｗ：ウエットテープ
１４Ｄ，１４Ｗ：供給リール
１６Ｄ，１６Ｗ：巻き取りリール
１８：軸
２０：軸
２２：軸
２４，２６，２８，３０：ローラ
３２：マッチングオイルタンク
３４：支持台
３６Ｄ，３６Ｗ：開口
３８：ラチェット機構
３８ａ：ギヤ
３８ｂ：フック
１１０：筐体
１１０Ｕ：上面壁
１１２Ｄ：ドライテープ
１１２Ｗ：ウエットテープ
１１４Ｄ，１１４Ｗ：供給リール
１１６Ｄ，１１６Ｗ：巻き取りリール
１１８Ｄ，１１８Ｗ：軸
１２０Ｄ，１２０Ｗ：軸
１２４Ｄ，１２６Ｄ：ローラ
１２２Ｗ，１２４Ｗ，１２６Ｗ：ローラ
１２８：マッチングオイルタンク
１３０Ｄ，１３０Ｗ：支持台
１３２Ｄ，１３２Ｗ：開口
１３４Ｄ，１３４Ｗ：ラチェット機構
１３６Ｄ，１３６Ｗ：ギヤ
１３８Ｄ，１３８Ｗ：フック
１４０：操作レバー
１４２，１４４：ベルト
１４６：軸
１５０：光ファイバ
【図１】
2005134447.tif 000003
【図２】
2005134447.tif 000004
【図３】
2005134447.tif 000005
【図４】
2005134447.tif 000006
【図５】
2005134447.tif 000007